(57)【特許請求の範囲】
【請求項１】
直流電源を交流に変換するインバータと、前記インバータ及び交流電力系統間に設けたスイッチ手段と、前記交流電力系統の系統電圧を検出する検出回路と、前記系統電圧に基き、前記スイッチ手段をオンして前記変換された交流電力を前記交流電力系統に逆潮流させ、前記交流電力系統に接続されている負荷を動かす制御回路とを備えた系統連系インバータ装置において、
標準時報信号を受信する受信手段を備え、
前記制御回路は、前記受信した標準時報信号に同期して、系統周波数に対して周期的なバイアスを持った周波数で運転し、前記検出した系統電圧に基き求めた系統電圧の周期が所定値以下または所定値以上となった場合には、前記スイッチ手段をオフにして前記インバータと前記交流電力系統とを切り離し、
前記周期的なバイアスを持った周波数の周期は、複数の商用周波数の公約数とする
ことを特徴とする系統連系インバータ装置。
【請求項２】
直流電源を交流に変換するインバータと、前記インバータ及び交流電力系統間に設けたスイッチ手段と、前記交流電力系統の系統電圧を検出する検出回路と、前記系統電圧に基き、前記スイッチ手段をオンして前記変換された交流電力を前記交流電力系統に逆潮流させ、前記交流電力系統に接続されている負荷を動かす制御回路とを備えた系統連系インバータ装置において、
標準時報信号を受信する受信手段を備え、
前記制御回路は、前記受信した標準時報信号に同期して、無効電力を周期的に変動させ、前記検出した系統電圧に基き求めた系統電圧の周期が所定値以下または所定値以上となった場合には、前記スイッチ手段をオフにして前記インバータと前記交流電力系統とを切り離し、
前記無効電力の変動周期は、複数の商用周波数の公約数とする
ことを特徴とする系統連系インバータ装置。
【請求項３】
直流電源を交流に変換するインバータと、前記インバータ及び交流電力系統間に設けたスイッチ手段と、前記交流電力系統の系統電圧を検出する検出回路と、前記系統電圧に基き、前記スイッチ手段をオンして前記変換された交流電力を前記交流電力系統に逆潮流させ、前記交流電力系統に接続されている負荷を動かす制御回路とを備えた系統連系インバータ装置において、
標準時報信号を受信する受信手段を備え、
前記制御回路は、前記受信した標準時報信号に同期して、有効電力を周期的に変動させ、前記検出した系統電圧値が所定値以下または所定値以上となった場合には、前記スイッチ手段をオフにして前記インバータと前記交流電力系統とを切り離し、
前記有効電力の変動周期は、複数の商用周波数の公約数とする
ことを特徴とする系統連系インバータ装置。
【発明の詳細な説明】
【０００１】
【発明の属する技術分野】
この発明は、太陽光発電やバイオガス発電等の直流電力を交流電力に変換し、交流電力系統に系統連系させて負荷に電力を供給する系統連系インバータ装置に関するものである。
【０００２】
【従来の技術】
従来の系統連系インバータ装置について図面を参照しながら説明する。図９は、従来の系統連系インバータ装置を適用した太陽光発電システムの構成を示す図である。
【０００３】
図９において、１は太陽電池、２はＤＣ／ＤＣコンバータ、３はインバータ、４はリレー、５は負荷、６は交流電力系統、１１は系統電圧を検出する検出回路、１４は制御回路である。
【０００４】
図９に示す太陽光発電システムは、太陽電池１が発電した直流電力をＤＣ／ＤＣコンバータ２により所定の直流電圧に昇圧した後、インバータ３により交流電力に変換する。そして、リレー４を介して、テレビ、照明等の負荷５に供給される。
【０００５】
太陽電池１で発電される電力は、通常において負荷５で消費されるが、余剰電力がある場合には交流電力系統６に送電（逆潮流）され、また電力が不足する場合には交流電力系統６から不足分の電力が補われる。
【０００６】
このような系統連系インバータ装置において、通常は系統連系インバータ装置から出力される電力と、負荷５が消費する消費電力との間にアンバランスがあり、有効電力と無効電力の一方あるいは両方が不平衡であるため、交流電力系統６が停電した場合は電圧または周波数が変化するので、これを検出回路１１により検出して、制御回路１４がリレー４を解列して交流電力系統６の停電に対応している。
【０００７】
しかしながら、系統連系インバータ装置の出力電力と負荷５の消費電力がバランスし、有効電力と無効電力がともにほぼ平衡状態で交流電力系統６に停電が生じると、停電を検出することができないという問題点を含んでいる。
【０００８】
すなわち、上記した状態では、電圧、周波数ともに変化量が少なく、検出回路１１が電圧、周波数の変化を検出できない。このような事態が生じた場合、系統連系インバータ装置は運転を継続することになる。このような状態を単独運転状態といい、系統連系インバータ装置では保守の点で不都合な事である。
【０００９】
このような単独運転を防止する方法として、系統連系インバータ装置は、出力する交流電力の周波数にバイアスを加えたり（周波数シフト方式）、周期的に有効電力や無効電力に変動を与える方法（有効電力変動方式、無効電力変動方式）が分散型電源系統連系指針（日本電気協会）より提案されている。
【００１０】
周波数シフト方式は、例えば、交流電力系統６が６０Ｈｚの場合、系統連系インバータ装置は６０．１Ｈｚのようなバイアスを加えた交流電力を出力する。このような場合、交流電力系統６の容量が系統連系インバータの容量より遙かに大きいので、交流電力系統の周波数は６０Ｈｚのままである。しかし、交流系統系統６が停電した場合は、６０．１Ｈｚの周波数が系統側に現れるので、これを検出した場合、交流電力系統６が停電したと判定できる。
【００１１】
また、負荷５が容量性負荷の時は、周波数が低い方向へシフトしてしまうので、６０．１Ｈｚという周波数が現れない恐れもある。そのため、バイアス方向を周期的に変えて、負荷５が容量性負荷でも誘導性負荷でも周波数バイアス分が単独運転時に確実に交流電力系統６に現れる様にする方法が提案されている（特開平９−３２２４０９）。
【００１２】
一方、有効電力変動方式や無効電力変動方式は、有効電力または無効電力を周期的に変動させることによって系統連系インバータ装置の出力電力と負荷５がバランスするのを防止する方法である。
【００１３】
【発明が解決しようとする課題】
上述したような従来の系統連系インバータ装置では、周波数、あるいは有効電力または無効電力を周期的に変動することで、単独運転を防止する方法が提案されているが、系統連系インバータ装置が多数台並列された場合、各々の変動タイミングがバラバラであるため、交流電力系統６が停電の場合、周波数、あるいは有効電力または無効電力の変動分を打ち消しあってしまい、停電が検出できない恐れがあるという問題点があった。
【００１４】
この発明は、前述した問題点を解決するためになされたもので、多数台並列運転した場合でも、確実に単独運転を検出することができる系統連系インバータ装置を得ることを目的とする。
【００１５】
【課題を解決するための手段】
この発明に係る系統連系インバータ装置は、直流電源を交流に変換するインバータと、前記インバータ及び交流電力系統間に設けたスイッチ手段と、前記交流電力系統の系統電圧を検出する検出回路と、前記系統電圧に基き、前記スイッチ手段をオンして前記変換された交流電力を前記交流電力系統に逆潮流させ、前記交流電力系統に接続されている負荷を動かす制御回路とを備えた系統連系インバータ装置において、標準時報信号を受信する受信手段を備え、前記制御回路は、前記受信した標準時報信号に同期して、系統周波数に対して周期的なバイアスを持った周波数で運転し、前記検出した系統電圧に基き求めた系統電圧の周期が所定値以下または所定値以上となった場合には、前記スイッチ手段をオフにして前記インバータと前記交流電力系統とを切り離し、前記周期的なバイアスを持った周波数の周期は、複数の商用周波数の公約数とするものである。
【００１６】
また、この発明に係る系統連系インバータ装置は、直流電源を交流に変換するインバータと、前記インバータ及び交流電力系統間に設けたスイッチ手段と、前記交流電力系統の系統電圧を検出する検出回路と、前記系統電圧に基き、前記スイッチ手段をオンして前記変換された交流電力を前記交流電力系統に逆潮流させ、前記交流電力系統に接続されている負荷を動かす制御回路とを備えた系統連系インバータ装置において、標準時報信号を受信する受信手段を備え、前記制御回路は、前記受信した標準時報信号に同期して、無効電力を周期的に変動させ、前記検出した系統電圧に基き求めた系統電圧の周期が所定値以下または所定値以上となった場合には、前記スイッチ手段をオフにして前記インバータと前記交流電力系統とを切り離し、前記無効電力の変動周期は、複数の商用周波数の公約数とするすものである。
【００１７】
さらに、この発明に係る系統連系インバータ装置は、直流電源を交流に変換するインバータと、前記インバータ及び交流電力系統間に設けたスイッチ手段と、前記交流電力系統の系統電圧を検出する検出回路と、前記系統電圧に基き、前記スイッチ手段をオンして前記変換された交流電力を前記交流電力系統に逆潮流させ、前記交流電力系統に接続されている負荷を動かす制御回路とを備えた系統連系インバータ装置において、標準時報信号を受信する受信手段を備え、前記制御回路は、前記受信した標準時報信号に同期して、有効電力を周期的に変動させ、前記検出した系統電圧値が所定値以下または所定値以上となった場合には、前記スイッチ手段をオフにして前記インバータと前記交流電力系統とを切り離し、前記有効電力の変動周期は、複数の商用周波数の公約数とするものである。
【００１９】
【発明の実施の形態】
実施の形態１．
この発明の実施の形態１に係る系統連系インバータ装置について図面を参照しながら説明する。図１は、この発明の実施の形態１に係る系統連系インバータ装置の構成を示す図である。なお、各図中、同一符号は同一又は相当部分を示す。
【００２０】
図１において、１は太陽電池、２は太陽電池１の電圧を所定の電圧に昇圧するＤＣ／ＤＣコンバータ、３は直流電圧を交流電力系統（後述）に同期した交流に変換するインバータ、４は系統連系インバータと交流電力系統とを接続するリレー、５は交流電力系統に接続されているテレビ、照明、冷蔵庫等の負荷、６は交流電力系統、７は太陽電池１の電圧を検出する検出回路、８は太陽電池１から出力される電流を検出するための抵抗、９は太陽電池１から出力される電流を検出する検出回路、１０はＤＣ／ＤＣコンバータ２の出力電圧を検出する検出回路、１１は系統電圧を検出する検出回路、１２はアンテナ、１３は受信回路、１４は制御回路である。
【００２１】
つぎに、前述した実施の形態１に係る系統連系インバータ装置の動作について図面を参照しながら説明する。図２は、この発明の実施の形態１に係る系統連系インバータ装置の制御装置の動作を示す図である。また、図３は、標準電波ＪＪＹの送信フォーマットを示す図である。さらに、図４は、この発明の実施の形態１に係る系統連系インバータ装置の動作を示す図である。
【００２２】
制御回路１４は、検出回路１１から瞬時瞬時の系統電圧、検出回路１０からＤＣ／ＤＣコンバータ２の出力電圧を読み込む。これらから、系統電圧と全く同一の出力電圧が出るような目標出力電圧指令値を生成する。通常は、制御回路１４はマイコン等でデジタル処理されるのであるが、この指令値をアナログ的に表すと図２（Ａ）の様な指令値となる。
【００２３】
更に、制御回路１４は、交流電力系統６に出力する瞬時瞬時の目標電流値を決定する。この目標電流値は、検出回路７から太陽電池１の出力電圧と、検出回路９から太陽電池１の出力電流を読み込み、両者の値から太陽電池１から取り出せる最大電力を演算し、これより目標出力電流指令値を生成する。
【００２４】
制御回路１４は、検出回路１１から系統電圧の周期を演算し、この周期に所定のバイアスを加減算した周期で、目標出力電流指令値を生成する。なお、系統電圧の周期は、検出回路１１で検出した系統電圧の零電圧間の時間により演算する。
【００２５】
例えば、計測された周期が６０Ｈｚでバイアス量が＋０．１の場合、図２（Ｂ）の目標出力電流指令値の周期は６０．１Ｈｚとなる。通常は、制御回路１４は、マイコン等でデジタル処理されるのであるが、この目標出力電流指令値をアナログ的に表すと図２（Ｂ）の様な指令値となる。
【００２６】
制御回路１４は、図２（Ａ）の目標出力電圧指令値と、同図（Ｂ）の目標出力電流指令値を加算し、その加算結果をインバータ３のスイッチング素子３ａ〜３ｄのスイッチング時間に変換する。図２（Ｃ）、（Ｄ）は変換されたスイッチング時間であり、色が濃い部分はオン時間が長く、薄い部分はオン時間が短いことを表す。
【００２７】
系統連系インバータは、正極方向の電圧を発生させる場合は、スイッチング素子３ｂ、３ｃの組を指令値が大きくなるにつれてオン時間を大きくし、スイッチング素子３ａ、３ｄの組は、３ｂ、３ｃの組を逆に動かし、また、負極方向の電圧を発生させる場合は、３ａ、３ｄの組を指令値が大きくなるにつれてオン時間を大きくし、３ｂ、３ｃの組は３ａ、３ｄの組を逆に動かす。
【００２８】
これにより、系統連系インバータは、交流電力系統６の系統電圧に比べ目標出力電流指令値分だけ高い電圧を出力する。ここで、リレー４をオンにすると。系統連系インバータの出力電圧は、系統電圧と同じになり、系統連系インバータから出力電流が流れる。図２（Ｅ）は系統連系インバータの出力電圧、同図（Ｆ）は出力電流である。
【００２９】
図３は、郵政省通信総合研究所のホームページに記載されているＪＪＹの送信方法である。このＪＪＹは、図３（Ｇ）に示すように毎時３５分から３９分の間を除き、同図（Ｈ）に示すように１秒間隔で１６００Ｈｚの秒信号を５ｍ秒間発生し、同図（Ｋ）に示すように毎分の００秒の前に６００Ｈｚの分予告信号を発生する。アンテナ１２、受信回路１３は、郵政省通信総合研究所から発信されている標準電波ＪＪＹを受信できるように構成されている。
【００３０】
制御回路１４は、受信回路１３からＪＪＹの秒信号を受信した場合、図４に示すように、この直後から、１０サイクル間は前回の計測した周期に対して、目標出力電流指令値に＋αのバイアスを加え、次の１０サイクル間は目標出力電流指令値に−αのバイアスを加える。これを次の秒信号が受信されるまで繰り返して、次に秒信号が受信されたら、そこからまた新たに、１０サイクル間＋α、１０サイクル間−αのバイアス与えるシーケンスを繰り返す。
【００３１】
系統電圧の周期が所定値以上、または、所定値以下となった場合、交流電力系統６が停電したと判定して、リレー４をオフにするとともにインバータ３の動作を停止して、交流電力系統６から系統連系インバータを切り離す。
【００３２】
すなわち、太陽電池１等の直流電源を交流に変換するインバータ３と、系統の周期を検出する手段１１、１４と、インバータ３と交流電力系統６との間にリレー４を設け、リレー４をオンして、変換された交流電力を交流電力系統６に逆潮流させ、電力会社に電力を買電、または、交流電力系統６に接続されている負荷５を動かす系統連系インバータ装置であって、ラジオ、テレビの電波を受信する手段１２、１３を設け、テレビ、ラジオの時報、または、郵政省通信総合研究所から発信されているＪＪＹまたはＪＧ２ＡＳ等の標準電波を受信、これらの信号に同期して、系統連系インバータは、系統周波数に対して周期的なバイアスを持った周波数で運転し、系統電圧の周期が例えば５０Ｈｚの地域の場合は４８Ｈｚ以下または、５２Ｈｚ以上となった場合、リレー４をオフにして、系統連系インバータと交流電力系統６とを切り離す。
【００３３】
この実施の形態１に係る系統連系インバータ装置よれば、ラジオ、テレビの時報、または、郵政省通信総合研究所から発信されているＪＪＹまたはＪＧ２ＡＳ等の標準電波を受信して、これに同期して周期的に周波数にバイアスを加えるので、系統連系インバータ装置を多数台並列運転した場合でも、全ての系統連系インバータ装置のバイアスの方向、タイミングを同期させることができるので、交流電力系統の停電を確実に検出できる。
【００３４】
実施の形態２．
この発明の実施の形態２に係る系統連系インバータ装置について図面を参照しながら説明する。図５及び図６は、この発明の実施の形態２に係る系統連系インバータ装置の動作を示す図である。なお、この実施の形態２の構成は、上記の実施の形態１と同様である。
【００３５】
上記の実施の形態１は、目標出力電流指令値の周波数に周期的なバイアスを加えた例であるが、この実施の形態２は、位相に周期的なバイアスを加える例である。
【００３６】
図５（Ａ）に示すように、制御回路１４は、上記実施の形態１と同じく目標出力電圧指令値を生成する。また、目標出力電流指令値も実施の形態１と同じく、太陽電池１から取り出せる最大電力から演算する。この時、図５（Ｂ）に示すように位相に周期的な変動を加える。
【００３７】
図６は、その周期的な変動を説明する図である。制御回路１４がＪＪＹからの秒信号を受信すると１０サイクル間、目標出力電流指令値の位相をβだけ進める。次の１０サイクルでは位相を元に戻して、その次の１０サイクルでは再び目標出力電流指令値の位相をβだけ進める。
【００３８】
制御回路１４は、図５（Ａ）の目標出力電圧指令値と、同図（Ｂ）の目標出力電流指令値を加算し、その加算結果をインバータ３のスイッチング素子３ａ〜３ｄのスイッチング時間に変換する。図５（Ｃ）、（Ｄ）は変換されたスイッチング時間であり、色が濃い部分はオン時間が長く、薄い部分はオン時間が短いことを表す。
【００３９】
リレー４をオンにして、交流電力系統６と連系して運転しているときに、系統電圧の周期が所定値以上、または、所定値以下となった場合、交流電力系統６が停電したと判定して、リレー４をオフにするとともにインバータ３の動作を停止して、交流電力系統６から系統連系インバータを切り離す。
【００４０】
すなわち、太陽電池１等の直流電源を交流に変換するインバータ３と、交流電力系統６の周期を検出する手段１１、１４と、インバータ３と交流電力系統６との間にリレー４を設け、リレー４をオンして、変換された交流電力を交流電力系統６に逆潮流させ、電力会社に電力を買電、または、交流電力系統６に接続されている負荷５を動かす系統連系インバータ装置であって、ラジオ、テレビの電波を受信する手段１２、１３を設け、テレビ、ラジオの時報、または、郵政省通信総合研究所から発信されているＪＪＹまたはＪＧ２ＡＳ等の標準電波を受信、これらの信号に同期して、系統連系インバータは、無効電力を周期的に変動させ、系統電圧の周期が例えば５０Ｈｚの地域の場合は４８Ｈｚ以下または、５２Ｈｚ以上となった場合、リレー４をオフにして、系統連系インバータと交流電力系統６とを切り離す。
【００４１】
この実施の形態２に係る系統連系インバータ装置によれば、ラジオ、テレビの時報、または、郵政省通信総合研究所から発信されているＪＪＹまたはＪＧ２ＡＳ等の標準電波を受信して、これに同期して周期的に無効電力を変動させるので、系統連系インバータ装置を多数台並列運転した場合でも、全ての系統連系インバータ装置の無効電力変動タイミングを同期させることができ、交流電力系統の停電を確実に検出できる。
【００４２】
実施の形態３．
この発明の実施の形態３に係る系統連系インバータ装置について図面を参照しながら説明する。図７及び図８は、この発明の実施の形態３に係る系統連系インバータ装置の動作を示す図である。なお、この実施の形態３の構成は、上記の実施の形態１と同様である。
【００４３】
上記実施の形態１は、目標出力電流指令値の周波数に周期的なバイアスを加えた例であるが、この実施の形態３は、振幅に周期的なバイアスを加える例である。
【００４４】
図７（Ａ）に示すように、制御回路１４は、実施の形態１と同じく目標出力電圧指令値を生成する。また、目標出力電流指令値も実施の形態１と同じく、太陽電池１から取り出せる最大電力から演算する。この時、図７（Ｂ）に示すように振幅に周期的な変動を加える。
【００４５】
図８は、その周期的な変動を説明する図である。制御回路１４がＪＪＹからの秒信号を受信すると１０サイクル間、目標出力電流指令値の振幅をγだけ小さくする。次の１０サイクルでは振幅を元に戻して、その次の１０サイクルでは再び目標出力電流指令値の振幅をγだけ小さくする。
【００４６】
制御回路１４は、図７（Ａ）の目標出力電圧指令値と、同図（Ｂ）の目標出力電流指令値を加算し、その加算結果をインバータ３のスイッチング素子３ａ〜３ｄのスイッチング時間に変換する。図７（Ｃ）、（Ｄ）は変換されたスイッチング時間であり、色が濃い部分はオン時間が長く、薄い部分はオン時間が短いことを表す。
【００４７】
リレー４をオンにして、交流電力系統６と連系して運転しているときに、検出回路１１で検出される系統電圧値が所定値以上、または、所定値以下となった場合、交流電力系統６が停電したと判定して、リレー４をオフにするとともにインバータ３の動作を停止して、交流電力系統６から系統連系インバータを切り離す。
【００４８】
すなわち、太陽電池１等の直流電源を交流に変換するインバータ３と、交流電力系統６の周期を検出する手段１１、１４と、インバータ３と交流電力系統６との間にリレー４を設け、リレー４をオンして、変換された交流電力を交流電力系統６に逆潮流させ、電力会社に電力を買電、または、交流電力系統６に接続されている負荷５を動かす系統連系インバータ装置であって、ラジオ、テレビの電波を受信する手段１２、１３を設け、テレビ、ラジオの時報、または、郵政省通信総合研究所から発信されているＪＪＹまたはＪＧ２ＡＳ等の標準電波を受信、これらの信号に同期して、系統連系インバータは、有効電力を周期的に変動させ、系統電圧値が所定値（例えば、基準値の９６％）以下または、所定値（例えば、基準値の１０４％）以上となった場合、リレーをオフにして、系統連系インバータと交流電力系統とを切り離す。
【００４９】
この実施の形態３に係る系統連系インバータ装置によれば、ラジオ、テレビの時報、または、郵政省通信総合研究所から発信されているＪＪＹまたはＪＧ２ＡＳ等の標準電波を受信して、これに同期して周期的に有効電力を変動させるので、系統連系インバータ装置を多数台並列運転した場合でも、全ての系統連系インバータ装置の有効電力変動タイミングを同期させることができ、交流電力系統の停電を確実に検出できる。
【００５０】
なお、周波数、無効電力、有効電力の変動周期は、上記各実施の形態で説明したように１０サイクルのように商用周波数５０Ｈｚと６０Ｈｚの公約数（５、１０など）とする。周波数のバイアスの周期、無効電力または有効電力の変動周期を、複数の商用周波数の公約数とすると、電波状態が悪く、時報や標準電波を受信できなくなった場合や、ＪＪＹの様に毎時３５〜３９分の停波の時でも、多数台並列接続された系統連系インバータ装置を同期させて運転させることができるので交流電力系統６の停電を確実に検出できる。
【００５１】
【発明の効果】
この発明に係る系統連系インバータ装置は、以上説明したとおり、直流電源を交流に変換するインバータと、前記インバータ及び交流電力系統間に設けたスイッチ手段と、前記交流電力系統の系統電圧を検出する検出回路と、前記系統電圧に基き、前記スイッチ手段をオンして前記変換された交流電力を前記交流電力系統に逆潮流させ、前記交流電力系統に接続されている負荷を動かす制御回路とを備えた系統連系インバータ装置において、標準時報信号を受信する受信手段を備え、前記制御回路は、前記受信した標準時報信号に同期して、系統周波数に対して周期的なバイアスを持った周波数で運転し、前記検出した系統電圧に基き求めた系統電圧の周期が所定値以下または所定値以上となった場合には、前記スイッチ手段をオフにして前記インバータと前記交流電力系統とを切り離し、前記周期的なバイアスを持った周波数の周期は、複数の商用周波数の公約数とするので、本系統連系インバータ装置を多数台並列運転した場合でも、全ての系統連系インバータ装置のバイアスの方向、タイミングを同期させることができ、ひいては交流電力系統の停電を確実に検出できるという効果を奏する。
【００５２】
また、この発明に係る系統連系インバータ装置は、以上説明したとおり、直流電源を交流に変換するインバータと、前記インバータ及び交流電力系統間に設けたスイッチ手段と、前記交流電力系統の系統電圧を検出する検出回路と、前記系統電圧に基き、前記スイッチ手段をオンして前記変換された交流電力を前記交流電力系統に逆潮流させ、前記交流電力系統に接続されている負荷を動かす制御回路とを備えた系統連系インバータ装置において、標準時報信号を受信する受信手段を備え、前記制御回路は、前記受信した標準時報信号に同期して、無効電力を周期的に変動させ、前記検出した系統電圧に基き求めた系統電圧の周期が所定値以下または所定値以上となった場合には、前記スイッチ手段をオフにして前記インバータと前記交流電力系統とを切り離し、前記無効電力の変動周期は、複数の商用周波数の公約数とするので、本系統連系インバータ装置を多数台並列運転した場合でも、全ての系統連系インバータ装置のバイアスの方向、タイミングを同期させることができ、ひいては交流電力系統の停電を確実に検出できるという効果を奏する。
【００５３】
さらに、この発明に係る系統連系インバータ装置は、以上説明したとおり、直流電源を交流に変換するインバータと、前記インバータ及び交流電力系統間に設けたスイッチ手段と、前記交流電力系統の系統電圧を検出する検出回路と、前記系統電圧に基き、前記スイッチ手段をオンして前記変換された交流電力を前記交流電力系統に逆潮流させ、前記交流電力系統に接続されている負荷を動かす制御回路とを備えた系統連系インバータ装置において、標準時報信号を受信する受信手段を備え、前記制御回路は、前記受信した標準時報信号に同期して、有効電力を周期的に変動させ、前記検出した系統電圧値が所定値以下または所定値以上となった場合には、前記スイッチ手段をオフにして前記インバータと前記交流電力系統とを切り離し、前記有効電力の変動周期は、複数の商用周波数の公約数とするので、本系統連系インバータ装置を多数台並列運転した場合でも、全ての系統連系インバータ装置のバイアスの方向、タイミングを同期させることができ、ひいては交流電力系統の停電を確実に検出できるという効果を奏する。
【図面の簡単な説明】
【図１】  この発明の実施の形態１に係る系統連系インバータ装置の構成を示す図である。
【図２】  この発明の実施の形態１に係る系統連系インバータ装置の動作を示す図である。
【図３】  標準電波ＪＪＹの送信フォーマットを示す図である。
【図４】  この発明の実施の形態１に係る系統連系インバータ装置の動作を示す図である。
【図５】  この発明の実施の形態２に係る系統連系インバータ装置の動作を示す図である。
【図６】  この発明の実施の形態２に係る系統連系インバータ装置の動作を示す図である。
【図７】  この発明の実施の形態３に係る系統連系インバータ装置の動作を示す図である。
【図８】  この発明の実施の形態３に係る系統連系インバータ装置の動作を示す図である。
【図９】  従来の系統連系インバータ装置の構成を示す図である。
【符号の説明】
１  太陽電池、２  ＤＣ／ＤＣコンバータ、３  インバータ、４  リレー、５負荷、６  交流電力系統、７  検出回路、８  抵抗、９  検出回路、１０  検出回路、１１  検出回路、１２  アンテナ、１３  受信回路、１４  制御回路。
【図１】
0004046433.tif 000002
【図２】
0004046433.tif 000003
【図３】
0004046433.tif 000004
【図４】
0004046433.tif 000005
【図５】
0004046433.tif 000006
【図６】
0004046433.tif 000007
【図７】
0004046433.tif 000008
【図８】
0004046433.tif 000009
【図９】
0004046433.tif 000010